(57)【要約】【課題】著作権保護を保証しつつ、録画再生装置が蓄積するデジタル放送コンテンツに対し、情報処理装置による代理編集や代理ダビングを実現できるようにする。【解決手段】録画再生装置１００は、デジタル放送コンテンツを蓄積するＨＤＤ１５０と、情報処理装置２００との相互認証を行う認証・鍵交換部１３３と、認証・鍵交換部１３３により情報処理装置２００の正当性が確認された後、ＨＤＤ１５０に蓄積されたデジタル放送コンテンツの複製である複製コンテンツを情報処理装置２００に転送する複製コンテンツ転送部１３５と、複製コンテンツの複製元のデジタル放送コンテンツの利用を禁止するように設定する設定部１３６とを具備する。【選択図】図２
2011223072.tif 000002
【特許請求の範囲】
【請求項１】
デジタル放送コンテンツを録画及び再生可能な録画再生装置と、
デジタル放送コンテンツの処理機能を有する情報処理装置とを具備し、
前記録画再生装置は、
デジタル放送コンテンツを蓄積するコンテンツ蓄積部と、
前記情報処理装置との相互認証を行う認証部と、
前記認証部により前記情報処理装置の正当性が確認された後、前記コンテンツ蓄積部に蓄積されたデジタル放送コンテンツの複製である複製コンテンツを前記情報処理装置に転送する複製コンテンツ転送部と、
前記複製コンテンツの複製元のデジタル放送コンテンツの利用を禁止するように設定する設定部とを具備することを特徴とするコンテンツ処理システム。
【請求項２】
前記情報処理装置は、
前記録画再生装置から転送された前記複製コンテンツを編集するコンテンツ編集部と、
前記コンテンツ編集部によって編集された前記複製コンテンツである編集コンテンツを前記録画再生装置に転送する編集コンテンツ転送部とを具備し、
前記録画再生装置は、前記情報処理装置から転送された前記編集コンテンツによって、前記複製元のデジタル放送コンテンツを更新するコンテンツ更新部をさらに具備することを特徴とする請求項１に記載のコンテンツ処理システム。
【請求項３】
前記情報処理装置は、
前記録画再生装置から転送された前記複製コンテンツをリムーバブル記憶媒体にダビングするダビング処理部と、
前記複製元のデジタル放送コンテンツの削除を前記録画再生装置に要求する削除要求部とを具備し、
前記録画再生装置は、削除の要求に応じて、前記複製元のデジタル放送コンテンツを前記コンテンツ蓄積部から削除するコンテンツ削除部をさらに具備することを特徴とする請求項１に記載のコンテンツ処理システム。
【請求項４】
前記情報処理装置は、
前記録画再生装置から転送された前記複製コンテンツをリムーバブル記憶媒体にダビングするダビング処理部と、
前記録画再生装置から転送された前記複製コンテンツをリムーバブル記憶媒体にダビングした回数に関するダビング情報を前記録画再生装置に通知するダビング通知部とを具備し、
前記録画再生装置は、通知された前記ダビング情報に応じて、前記複製元のデジタル放送コンテンツのダビング可能回数を減じる処理を行うダビング回数管理部を具備することを特徴とする請求項１に記載のコンテンツ処理システム。
【請求項５】
前記情報処理装置は、前記録画再生装置から転送された前記複製コンテンツを編集するコンテンツ編集部をさらに具備し、
前記ダビング処理部は、前記コンテンツ編集部によって編集された前記複製コンテンツである編集コンテンツをリムーバブル記憶媒体にダビングすることを特徴とする請求項３又は４に記載のコンテンツ処理システム。
【請求項６】
デジタル放送コンテンツを録画及び再生可能な録画再生装置であって、
デジタル放送コンテンツを蓄積するコンテンツ蓄積部と、
デジタル放送コンテンツの処理機能を有する情報処理装置との相互認証を行う認証部と、
前記認証部により前記情報処理装置の正当性が確認された後、前記コンテンツ蓄積部に蓄積されたデジタル放送コンテンツの複製である複製コンテンツを前記録画再生装置に転送する複製コンテンツ転送部と、
前記複製コンテンツの複製元のデジタル放送コンテンツの利用を禁止するように設定する設定部とを具備することを特徴とする録画再生装置。
【請求項７】
情報処理装置に、
デジタル放送コンテンツを録画及び再生可能な録画再生装置から転送され、前記録画再生装置に蓄積されたデジタル放送コンテンツの複製である複製コンテンツを編集する手順と、
前記編集する手順によって編集された前記複製コンテンツである編集コンテンツを前記録画再生装置に転送する手順とを実行させることを特徴とするコンテンツ処理プログラム。
【請求項８】
情報処理装置に、
デジタル放送コンテンツを録画及び再生可能な録画再生装置から転送され、前記録画再生装置に蓄積されたデジタル放送コンテンツの複製である複製コンテンツをリムーバブル記憶媒体にダビングする手順と、
前記複製元のデジタル放送コンテンツの削除を前記録画再生装置に要求する手順とを実行させることを特徴とするコンテンツ処理プログラム。
【請求項９】
情報処理装置に、
デジタル放送コンテンツを録画及び再生可能な録画再生装置から転送され、前記録画再生装置に蓄積されたデジタル放送コンテンツの複製である複製コンテンツをリムーバブル記憶媒体にダビングする手順と、
前記録画再生装置から転送された前記複製コンテンツをリムーバブル記憶媒体にダビングした回数に関するダビング情報を前記録画再生装置に通知する手順とを実行させることを特徴とするコンテンツ処理プログラム。
【発明の詳細な説明】
【技術分野】
【０００１】
本発明は、デジタル放送コンテンツを処理するコンテンツ処理システム、録画再生装置、及びコンテンツ処理プログラムに関する。
【背景技術】
【０００２】
従来、地上デジタル放送等のデジタル放送を受信し、デジタル放送コンテンツを録画及び再生可能な録画再生装置が広く用いられている（例えば、特許文献１参照）。
【０００３】
このような録画再生装置は、一般的に、ユーザインタフェース（ＵＩ）がリモコン等に限られ、且つ処理能力が低いため、高度なコンテンツ編集を行うのには不向きである。また、録画再生装置は、リムーバブル記憶媒体（例えばＤＶＤ等）へのダビング機能を有していないことがある。
【０００４】
このため、情報処理装置（例えばＰＣ等）を用いて、録画再生装置が蓄積するデジタル放送コンテンツに対し、代理編集や代理ダビングを実現したいという要求がある。
【先行技術文献】
【特許文献】
【０００５】
【特許文献１】特開２００９−２０４０１号公報
【発明の概要】
【発明が解決しようとする課題】
【０００６】
しかしながら、録画再生装置が蓄積するデジタル放送コンテンツに対し、情報処理装置による代理編集や代理ダビングを実現する場合、以下のような解決すべき課題がある。
【０００７】
第１に、デジタル放送の運用規定では、著作権保護の観点から、デジタル放送コンテンツを録画・蓄積する手段、デジタル放送コンテンツを再生する手段、デジタル放送コンテンツを編集する手段とが、一体式のものになるように制御することが要求されるという課題がある。
【０００８】
第２に、デジタル放送の運用規定では、著作権保護の観点から、複数の機器が同一のデジタル放送コンテンツを同時に利用（再生・編集）可能な状態となることは許容されないという課題がある。
【０００９】
そこで、本発明は、著作権保護を保証しつつ、録画再生装置が蓄積するデジタル放送コンテンツに対し、情報処理装置による代理編集や代理ダビングを実現できるコンテンツ処理システム、録画再生装置、及びコンテンツ処理プログラムを提供することを目的とする。
【課題を解決するための手段】
【００１０】
上述した課題を解決するために、本発明は以下のような特徴を有している。まず、本発明のコンテンツ処理システムの特徴は、デジタル放送コンテンツを録画及び再生可能な録画再生装置（録画再生装置１００）と、デジタル放送コンテンツの処理機能を有する情報処理装置（情報処理装置２００）とを具備し、前記録画再生装置は、デジタル放送コンテンツを蓄積するコンテンツ蓄積部（例えばＨＤＤ１５０）と、前記情報処理装置との相互認証を行う認証部（認証・鍵交換部１３３）と、前記認証部により前記情報処理装置の正当性が確認された後、前記コンテンツ蓄積部に蓄積されたデジタル放送コンテンツの複製である複製コンテンツを前記情報処理装置に転送する複製コンテンツ転送部（複製コンテンツ転送部１３５）と、前記複製コンテンツの複製元のデジタル放送コンテンツの利用を禁止するように設定する設定部（設定部１３６）とを具備することを要旨とする。
【００１１】
このような特徴によれば、録画再生装置が情報処理装置との相互認証を行い、相互に正当性を確認することによって、録画再生装置と情報処理装置とが一体式のものになるように制御することができるため、著作権保護を保証できる。
【００１２】
また、コンテンツ蓄積部に蓄積されたデジタル放送コンテンツの複製である複製コンテンツを情報処理装置に転送し、且つ複製コンテンツの複製元のデジタル放送コンテンツの利用を禁止するように設定することによって、複数の機器が同一のデジタル放送コンテンツを同時に利用（再生・編集）可能な状態となることが回避されるため、著作権保護を保証できる。そして、情報処理装置に転送された複製コンテンツにより、情報処理装置による代理編集や代理ダビングが実現される。
【００１３】
したがって、上記の特徴に係るコンテンツ処理システムは、著作権保護を保証しつつ、録画再生装置が蓄積するデジタル放送コンテンツに対し、情報処理装置による代理編集や代理ダビングを実現できる。
【００１４】
本発明のコンテンツ処理システムの他の特徴は、上記の特徴に係るコンテンツ処理システムにおいて、前記情報処理装置は、前記録画再生装置から転送された前記複製コンテンツを編集するコンテンツ編集部（コンテンツ編集部２４４）と、前記コンテンツ編集部によって編集された前記複製コンテンツである編集コンテンツを前記録画再生装置に転送する編集コンテンツ転送部（編集コンテンツ転送部２４５）とを具備し、前記録画再生装置は、前記情報処理装置から転送された前記編集コンテンツによって、前記複製元のデジタル放送コンテンツを更新するコンテンツ更新部（コンテンツ更新部１３７）をさらに具備することを要旨とする。
【００１５】
本発明のコンテンツ処理システムの他の特徴は、上記の特徴に係るコンテンツ処理システムにおいて、前記情報処理装置は、前記録画再生装置から転送された前記複製コンテンツをリムーバブル記憶媒体にダビングするダビング処理部（ダビング処理部２４７）と、前記複製元のデジタル放送コンテンツの削除を前記録画再生装置に要求する削除要求部（削除要求部２４８）とを具備し、前記録画再生装置は、削除の要求に応じて、前記複製元のデジタル放送コンテンツを前記コンテンツ蓄積部から削除するコンテンツ削除部（コンテンツ削除部１３８）をさらに具備することを要旨とする。
【００１６】
本発明のコンテンツ処理システムの他の特徴は、上記の特徴に係るコンテンツ処理システムにおいて、前記情報処理装置は、前記録画再生装置から転送された前記複製コンテンツをリムーバブル記憶媒体にダビングするダビング処理部（ダビング処理部２４７）と、前記録画再生装置から転送された前記複製コンテンツをリムーバブル記憶媒体にダビングした回数に関するダビング情報を前記録画再生装置に通知するダビング通知部（ダビング通知部２４９）とを具備し、前記録画再生装置は、通知された前記ダビング情報に応じて、前記複製元のデジタル放送コンテンツのダビング可能回数を減じる処理を行うダビング回数管理部（ダビング回数管理部１３９）を具備することを要旨とする。
【００１７】
本発明のコンテンツ処理システムの他の特徴は、上記の特徴に係るコンテンツ処理システムにおいて、前記情報処理装置は、前記録画再生装置から転送された前記複製コンテンツを編集するコンテンツ編集部（コンテンツ編集部２４４）をさらに具備し、前記ダビング処理部は、前記コンテンツ編集部によって編集された前記複製コンテンツである編集コンテンツをリムーバブル記憶媒体にダビングすることを要旨とする。
【００１８】
本発明の録画再生装置の特徴は、デジタル放送コンテンツを録画及び再生可能な録画再生装置であって、デジタル放送コンテンツを蓄積するコンテンツ蓄積部と、デジタル放送コンテンツの処理機能を有する情報処理装置との相互認証を行う認証部と、前記認証部により前記情報処理装置の正当性が確認された後、前記コンテンツ蓄積部に蓄積されたデジタル放送コンテンツの複製である複製コンテンツを前記録画再生装置に転送する複製コンテンツ転送部と、前記複製コンテンツの複製元のデジタル放送コンテンツの利用を禁止するように設定する設定部とを具備することを要旨とする。
【００１９】
本発明のコンテンツ処理プログラムの特徴は、情報処理装置に、デジタル放送コンテンツを録画及び再生可能な録画再生装置から転送され、前記録画再生装置に蓄積されたデジタル放送コンテンツの複製である複製コンテンツを編集する手順と、前記編集する手順によって編集された前記複製コンテンツである編集コンテンツを前記録画再生装置に転送する手順とを実行させることを要旨とする。
【００２０】
本発明のコンテンツ処理プログラムの特徴は、情報処理装置に、デジタル放送コンテンツを録画及び再生可能な録画再生装置から転送され、前記録画再生装置に蓄積されたデジタル放送コンテンツの複製である複製コンテンツをリムーバブル記憶媒体にダビングする手順と、前記複製元のデジタル放送コンテンツの削除を前記録画再生装置に要求する手順とを実行させることを要旨とする。
【００２１】
本発明のコンテンツ処理プログラムの特徴は、情報処理装置に、デジタル放送コンテンツを録画及び再生可能な録画再生装置から転送され、前記録画再生装置に蓄積されたデジタル放送コンテンツの複製である複製コンテンツをリムーバブル記憶媒体にダビングする手順と、前記録画再生装置から転送された前記複製コンテンツをリムーバブル記憶媒体にダビングした回数に関するダビング情報を前記録画再生装置に通知する手順とを実行させることを要旨とする。
【発明の効果】
【００２２】
本発明によれば、著作権保護を保証しつつ、録画再生装置が蓄積するデジタル放送コンテンツに対し、情報処理装置による代理編集や代理ダビングを実現できるコンテンツ処理システム、録画再生装置、及びコンテンツ処理プログラムを提供できる。
【図面の簡単な説明】
【００２３】
【図１】図１（ａ）はコンテンツ処理システムの概略構成例１を示す図であり、図１（ｂ）はコンテンツ処理システムの概略構成例２を示す図である。
【図２】第１実施形態に係る録画再生装置のブロック構成図である。
【図３】第１実施形態に係る情報処理装置のブロック構成図である。
【図４】第１実施形態に係る録画再生装置及び情報処理装置の動作シーケンス図である。
【図５】第２実施形態に係る録画再生装置のブロック構成図である。
【図６】第２実施形態に係る情報処理装置のブロック構成図である。
【図７】第２実施形態に係る録画再生装置及び情報処理装置の動作シーケンス図である。
【図８】第２実施形態の変更例に係る情報処理装置のブロック構成図である。
【図９】第２実施形態の変更例に係る動作シーケンス図である。
【図１０】第３実施形態に係る録画再生装置のブロック構成図である。
【図１１】第３実施形態に係る情報処理装置のブロック構成図である。
【図１２】第３実施形態に係る録画再生装置及び情報処理装置の動作シーケンス図である。
【図１３】第３実施形態の変更例に係る情報処理装置のブロック構成図である。
【図１４】第３実施形態の変更例に係る動作シーケンス図である。
【発明を実施するための形態】
【００２４】
図面を参照して、本発明の第１実施形態〜第３実施形態、及びその他の実施形態を説明する。以下の各実施形態における図面において、同一又は類似の部分には同一又は類似の符号を付す。
【００２５】
［コンテンツ処理システムの概略構成］
第１実施形態〜第３実施形態に係る録画再生装置及び情報処理装置の説明の前に、図１を用いて、当該録画再生装置及び情報処理装置が適用されるコンテンツ処理システムの概略構成について説明する。
【００２６】
図１（ａ）は、コンテンツ処理システム１の概略構成例１を示す図である。図１（ａ）に示すコンテンツ処理システム１は、録画再生装置１００と情報処理装置２００とが、ホームネットワーク等のＬＡＮ２を介して接続される。録画再生装置１００は、映像・音声出力装置３００とケーブル又はＬＡＮを介して接続される。録画再生装置１００は、地上デジタル放送を受信し、デジタル放送コンテンツを録画及び再生可能な装置である。情報処理装置２００は、デジタル放送コンテンツの処理機能を有する装置であり、第１実施形態ではＰＣである。映像・音声出力装置３００は、録画再生装置１００によって再生されたデジタル放送コンテンツの映像及び音声を出力する装置である。
【００２７】
図１（ｂ）は、コンテンツ処理システム１の概略構成例２を示す図である。図１（ｂ）に示すコンテンツ処理システム１は、録画再生装置１００と情報処理装置２００とが、シリアルケーブル等のケーブル３を介して接続される。
【００２８】
このように、情報処理装置２００及び録画再生装置１００は、ＬＡＮ２又はケーブル３を介して互いに通信可能に構成されている。
【００２９】
［第１実施形態］
図２〜図４を用いて、第１実施形態に係る録画再生装置１００Ａ及び情報処理装置２００Ａを説明する。第１実施形態では、著作権保護を保証しつつ、録画再生装置１００Ａが蓄積するデジタル放送コンテンツに対し、情報処理装置２００Ａによる代理編集を実現する形態を説明する。
【００３０】
（録画再生装置の構成）
図２は、第１実施形態に係る録画再生装置１００Ａのブロック構成図である。図２に示すように、録画再生装置１００Ａは、チューナ１１０、リモコン１２０、処理部１３０、通信インタフェース１４０、ＨＤＤ１５０、メモリ１６０を有する。チューナ１１０、処理部１３０、通信インタフェース１４０、ＨＤＤ１５０、及びメモリ１６０は、処理部１３０に電気的に接続される。
【００３１】
チューナ１１０は、デジタル放送を受信し、復調及び復号を施し、デジタル放送コンテンツを出力する。当該デジタル放送コンテンツは、処理部１３０に入力される。
【００３２】
リモコン１２０は、ユーザからの操作を受け付け、操作内容を示す赤外線信号を出力する。当該赤外線信号は、電気信号に変換された後に処理部１３０に入力される。
【００３３】
処理部１３０は、リモコン１２０からの信号に応じて、チューナ１１０から入力されたデジタル放送コンテンツ、ＨＤＤ１５０に蓄積されたデジタル放送コンテンツを処理する。また、処理部１３０は、録画再生装置１００Ａ全体の制御を行う。
【００３４】
通信インタフェース１４０は、ＬＡＮ２又はケーブル３を介して情報処理装置２００Ａとの通信を行うためのものである。
【００３５】
ＨＤＤ１５０は、デジタル放送コンテンツを蓄積するコンテンツ蓄積部である。メモリ１６０は、処理部１３０によって実行されるプログラムを格納すると共に、処理部１３０におけるプログラム実行中に作業領域として使用される。
【００３６】
処理部１３０は、コンテンツ録画・再生部１３１、コンテンツ編集部１３２、認証・鍵交換部１３３、ローカル暗号化・復号化部１３４、複製コンテンツ転送部１３５、設定部１３６、及びコンテンツ更新部１３７を有する。
【００３７】
コンテンツ録画・再生部１３１は、チューナ１１０から入力されたデジタル放送コンテンツをＨＤＤ１５０に蓄積する録画処理と、ＨＤＤ１５０に蓄積されたデジタル放送コンテンツを再生して映像・音声出力装置３００に出力する再生処理とを行う。
【００３８】
コンテンツ編集部１３２は、リモコン１２０からの信号に応じて、ＨＤＤ１５０に蓄積されたデジタル放送コンテンツを編集（例えば、デジタル放送コンテンツの分割、結合、並べ替え等）する。なお、録画再生装置１００Ａにおいては、ボタン数の少ないリモコン１２０を用いて編集が行われるため、ユーザにとって操作性が低い。
【００３９】
認証・鍵交換部１３３は、情報処理装置２００Ａとの相互認証、及びローカル暗号化の鍵交換を行う。第１実施形態において認証・鍵交換部１３３は、認証部を構成する。第１実施形態では、認証・鍵交換部１３３は、定期的（例えば１分ごと）に情報処理装置２００Ａとの相互認証を行う。
【００４０】
ローカル暗号化・復号化部１３４は、情報処理装置２００Ａに転送するデジタル放送コンテンツをローカル暗号化する機能と、情報処理装置２００Ａから転送されたデジタル放送コンテンツを認証・鍵交換部１３３により得られた鍵データを用いてローカル復号化する機能とを有する。
【００４１】
複製コンテンツ転送部１３５は、認証・鍵交換部１３３により情報処理装置２００Ａの正当性が確認された後、ＨＤＤ１５０に蓄積されたデジタル放送コンテンツの複製である複製コンテンツを情報処理装置２００Ａに転送する。
【００４２】
設定部１３６は、複製コンテンツの複製元のデジタル放送コンテンツの利用（すなわち、再生及び編集）を禁止するように設定する。
【００４３】
コンテンツ更新部１３７は、情報処理装置２００Ａから転送された編集コンテンツによって、上記複製元のデジタル放送コンテンツを更新する。
【００４４】
（情報処理装置の構成）
図３は、第１実施形態に係る情報処理装置２００Ａのブロック構成図である。図３に示すように、マウス２１０、キーボード２２０、ディスプレイ２３０、処理部２４０、通信インタフェース２５０、ＨＤＤ２７０、メモリ２８０を有する。
【００４５】
マウス２１０及びキーボード２２０は、ユーザからの操作を受け付け、操作内容を示す電気信号を処理部１３０に入力する。ディスプレイ２３０は、処理部１３０から入力される画像信号に応じて画像を表示する。このように、情報処理装置２００Ａは、録画再生装置１００Ａよりも高度なユーザインタフェース機能を有する。
【００４６】
処理部２４０は、マウス２１０及びキーボード２２０からの操作信号に応じて各種の処理を行う。また、処理部１３０は、情報処理装置２００Ａ全体の制御を行う。処理部２４０は、録画再生装置１００Ａの処理部１３０よりも処理能力が高いものとする。
【００４７】
通信インタフェース２５０は、ＬＡＮ２又はケーブル３を介して情報処理装置２００Ａとの通信を行うためのものである。
【００４８】
ＨＤＤ２７０は、録画再生装置１００Ａから転送されたデジタル放送コンテンツや、処理部２４０によって実行されるプログラムを格納する。メモリ２８０は、処理部２４０におけるプログラム実行中に作業領域として使用される。
【００４９】
処理部２４０は、認証・鍵交換部２４１、コンテンツ取得部２４２、ローカル暗号化・復号化部２４３、コンテンツ編集部２４４、編集コンテンツ転送部２４５、及び設定部２４６を有する。
【００５０】
認証・鍵交換部２４１は、録画再生装置１００Ａとの相互認証、及びローカル暗号化の鍵交換を行う。
【００５１】
コンテンツ取得部２４２は、録画再生装置１００Ａから転送されるデジタル放送コンテンツを取得する。
【００５２】
ローカル暗号化・復号化部２４３は、録画再生装置１００Ａに転送するデジタル放送コンテンツをローカル暗号化する機能と、録画再生装置１００Ａから転送されたデジタル放送コンテンツ（複製コンテンツ）を認証・鍵交換部２４１により得られた鍵データを用いてローカル復号化する機能とを有する。
【００５３】
コンテンツ編集部２４４は、マウス２１０及びキーボード２２０からの操作信号に応じて、コンテンツ取得部２４２によって取得された複製コンテンツを編集する。
【００５４】
編集コンテンツ転送部２４５は、コンテンツ編集部２４４によって編集された複製コンテンツである編集コンテンツをローカル暗号化後に録画再生装置１００Ａに転送する。
【００５５】
設定部２４６は、編集コンテンツがＨＤＤ２７０に格納される場合に、当該編集コンテンツの利用を禁止するように設定する。
【００５６】
（コンテンツ処理システムの動作）
図４は、第１実施形態に係る録画再生装置１００Ａ及び情報処理装置２００Ａの動作シーケンス図である。
【００５７】
ステップＳ１０１において、情報処理装置２００Ａの認証・鍵交換部２４１は、認証を要求するための認証要求を録画再生装置１００Ａに送信する。録画再生装置１００Ａの通信インタフェース１４０は、認証要求を受信する。
【００５８】
ステップＳ１０２において、録画再生装置１００Ａの認証・鍵交換部１３３は、受信した認証要求応じて、情報処理装置２００Ａを認証し、情報処理装置２００Ａの正当性を確認する。認証・鍵交換部１３３は、情報処理装置２００Ａの正当性を確認すると、認証要求に対する応答である認証応答を情報処理装置２００Ａに送信する。情報処理装置２００Ａの通信インタフェース２５０は、認証応答を受信する。
【００５９】
ステップＳ１０３において、情報処理装置２００Ａのコンテンツ取得部２４２は、マウス２１０及びキーボード２２０からの操作信号に応じて、指定されたデジタル放送コンテンツの取得を要求するためのコンテンツ取得要求を録画再生装置１００Ａに送信する。録画再生装置１００Ａの通信インタフェース１４０は、コンテンツ取得要求を受信する。
【００６０】
ステップＳ１０４において、録画再生装置１００Ａの処理部１３０は、コンテンツ取得要求に対する応答であるコンテンツ取得応答を情報処理装置２００Ａに送信する。情報処理装置２００Ａの通信インタフェース２５０は、コンテンツ取得応答を受信する。
【００６１】
ステップＳ１０５において、録画再生装置１００Ａの認証・鍵交換部１３３と、情報処理装置２００Ａの認証・鍵交換部２４１とは、ローカル暗号化のための鍵データを交換する。
【００６２】
ステップＳ１０６において、録画再生装置１００Ａのローカル暗号化・復号化部１３４は、コンテンツ取得要求と対応するデジタル放送コンテンツを複製して得られた複製コンテンツをローカル暗号化する。
【００６３】
ステップＳ１０７において、複製コンテンツ転送部１３５は、ローカル暗号化後の複製コンテンツを情報処理装置２００Ａに転送する。情報処理装置２００Ａの通信インタフェース２５０は、ローカル暗号化後の複製コンテンツを受信する。
【００６４】
ステップＳ１０８において、録画再生装置１００Ａの設定部１３６は、コンテンツ取得要求と対応するデジタル放送コンテンツ（複製元のデジタル放送コンテンツ）の利用（すなわち、再生及び編集）を禁止するように設定する。
【００６５】
ステップＳ１０９において、情報処理装置２００Ａのローカル暗号化・復号化部２４３は、鍵交換により得られた鍵データを用いて、録画再生装置１００Ａから受信したローカル暗号化後の複製コンテンツをローカル復号化する。
【００６６】
ステップＳ１１０において、情報処理装置２００Ａのコンテンツ編集部２４４は、マウス２１０及びキーボード２２０からの操作信号に応じて、ローカル復号化された複製コンテンツを編集する。
【００６７】
ステップＳ１１１において、情報処理装置２００Ａのローカル暗号化・復号化部２４３は、コンテンツ編集部２４４によって編集された複製コンテンツである編集コンテンツをローカル暗号化する。
【００６８】
ステップＳ１１２において、情報処理装置２００Ａの編集コンテンツ転送部２４５は、編集コンテンツの差し戻しを要求するための差し戻し要求を録画再生装置１００Ａに送信する。録画再生装置１００Ａの通信インタフェース１４０は、差し戻し要求を受信する。
【００６９】
ステップＳ１１３において、録画再生装置１００Ａの処理部１３０は、差し戻し要求に対する応答である差し戻し応答を情報処理装置２００Ａに送信する。情報処理装置２００Ａの通信インタフェース２５０は、差し戻し応答を受信する。
【００７０】
ステップＳ１１４において、情報処理装置２００Ａの編集コンテンツ転送部２４５は、編集コンテンツを録画再生装置１００Ａに転送する。録画再生装置１００Ａの通信インタフェース１４０は、編集コンテンツを受信する。
【００７１】
ステップＳ１１５において、情報処理装置２００Ａの設定部２４６は、ＨＤＤ２７０に格納されている編集コンテンツの利用（すなわち、再生及び編集）を禁止するように設定する。あるいは、設定部２４６は、ＨＤＤ２７０に格納されている編集コンテンツを削除してもよい。
【００７２】
ステップＳ１１６において、録画再生装置１００Ａのコンテンツ更新部１３７は、情報処理装置２００Ａから受信した編集コンテンツによって、複製元のデジタル放送コンテンツを更新（上書き）する。
【００７３】
ステップＳ１１７において、録画再生装置１００Ａの設定部１３６は、更新（上書き）されたデジタル放送コンテンツ（編集コンテンツ）の利用を許可するように設定する。
【００７４】
（第１実施形態の効果）
以上説明したように、第１実施形態によれば、情報処理装置２００Ａは、録画再生装置１００Ａから転送された複製コンテンツを編集し、編集コンテンツを録画再生装置１００Ａに転送する。録画再生装置１００Ａは、情報処理装置２００Ａから転送された編集コンテンツによって、複製元のデジタル放送コンテンツを更新する。
【００７５】
これにより、ユーザインタフェースに優れ、且つ処理性能の高い情報処理装置２００Ａを用いて代理編集を行うことができるため、高度なコンテンツ編集を容易に行うことが可能になる。また、代理編集が行われる間は、複製元のデジタル放送コンテンツの利用は禁止されているため、デジタル放送コンテンツの著作権保護を保証することができる。
【００７６】
［第２実施形態］
次に、図５〜図７を用いて、第２実施形態に係る録画再生装置１００Ｂ及び情報処理装置２００Ｂを説明する。第２実施形態では、著作権保護を保証しつつ、録画再生装置１００Ａが蓄積するデジタル放送コンテンツに対し、情報処理装置２００Ａによる代理ダビングを実現する形態を説明する。
【００７７】
また、第２実施形態では、録画再生装置１００Ａが蓄積するデジタル放送コンテンツが、コピーワンスのように、リムーバブル記憶媒体へのコピーが許容されず、リムーバブル記憶媒体へのムーブ（移動）が許容される著作権保護技術に対応したものであるとする。
【００７８】
なお、以下の第２実施形態においては、第１実施形態と異なる点を主として説明し、重複する説明を省略する。
【００７９】
（録画再生装置の構成）
図５は、第２実施形態に係る録画再生装置１００Ｂのブロック構成図である。図５に示すように、録画再生装置１００Ｂは、第１実施形態で説明したコンテンツ更新部１３７に代えて、コンテンツ削除部１３８を有している。コンテンツ削除部１３８は、情報処理装置２００Ｂからの削除要求に応じて、第１実施形態で説明した複製元のデジタル放送コンテンツをＨＤＤ１５０から削除する。録画再生装置１００Ｂのその他の構成については、第１実施形態と同様である。
【００８０】
（情報処理装置の構成）
図６は、第２実施形態に係る情報処理装置２００Ｂのブロック構成図である。図６に示すように、情報処理装置２００Ｂは、リムーバブル記憶媒体としての光ディスク２６１（例えば、ＤＶＤ又はブルーレイディスク（登録商標））に対する読み書きを行うための光学ドライブ２６０を有する。このように、情報処理装置２００Ｂは、録画再生装置１００Ｂには無いダビング機能を有する。
【００８１】
また、情報処理装置２００Ｂの処理部２４０は、光学ドライブ２６０を用いて、録画再生装置１００Ｂから転送された複製コンテンツを光ディスク２６１にダビングするダビング処理部２４７と、複製元のデジタル放送コンテンツの削除を録画再生装置１００Ｂに要求する削除要求部２４８とを有する。第２実施形態では、処理部２４０は、第１実施形態で説明したコンテンツ編集部２４４を有していない。情報処理装置２００Ｂのその他の構成については、第１実施形態と同様である。
【００８２】
（コンテンツ処理システムの動作）
図７は、第２実施形態に係る録画再生装置１００Ｂ及び情報処理装置２００Ｂの動作シーケンス図である。
【００８３】
ステップＳ２０１〜ステップＳ２０９の各処理は、第１実施形態と同様である。
【００８４】
ステップＳ２１０において、情報処理装置２００Ｂのダビング処理部２４７は、光学ドライブ２６０を用いて、ローカル復号化された複製コンテンツを光ディスク２６１にダビングする。
【００８５】
ステップＳ２１１において、情報処理装置２００Ｂの削除要求部２４８は、複製元のデジタル放送コンテンツの削除を要求するための削除要求を録画再生装置１００Ｂに送信する。録画再生装置１００Ｂの通信インタフェース１４０は、削除要求を受信する。
【００８６】
ステップＳ２１２において、録画再生装置１００Ｂのコンテンツ削除部１３８は、削除要求に対する応答である削除応答を情報処理装置２００Ｂに送信する。情報処理装置２００Ｂの通信インタフェース２５０は、削除応答を受信する。
【００８７】
ステップＳ２１３において、情報処理装置２００Ｂの設定部２４６は、ＨＤＤ２７０に格納されている複製コンテンツの利用（すなわち、再生及び編集）を禁止するように設定する。あるいは、設定部２４６は、ＨＤＤ２７０に格納されている複製コンテンツを削除してもよい。
【００８８】
ステップＳ２１４において、録画再生装置１００Ｂのコンテンツ削除部１３８は、複製元のデジタル放送コンテンツをＨＤＤ１５０から削除する。
【００８９】
（第２実施形態の効果）
以上説明したように、第２実施形態によれば、情報処理装置２００Ｂは、録画再生装置１００Ｂから転送された複製コンテンツを光ディスク２６１にダビングし、複製元のデジタル放送コンテンツの削除を録画再生装置１００Ｂに要求する。録画再生装置１００Ｂは、削除の要求に応じて、複製元のデジタル放送コンテンツをＨＤＤ１５０から削除する。
【００９０】
これにより、コピーワンスのように、光ディスク２６１へのコピーが許容されず、光ディスク２６１へのムーブ（移動）が許容されるデジタル放送コンテンツについて、その制約を守りながら代理ダビングを実現できる。また、代理ダビング中は、複製元のデジタル放送コンテンツの利用は禁止される。したがって、第２実施形態によれば、著作権保護を保証しつつ代理ダビングを実現できる。
【００９１】
［第２実施形態の変更例］
次に、図８及び図９を用いて、第２実施形態の変更例を説明する。本変更例では、第１実施形態と第２実施形態とを組み合わせた形態を説明する。
【００９２】
（情報処理装置の構成）
図８は、本変更例に係る情報処理装置２００Ｂのブロック構成図である。図８に示すように、情報処理装置２００Ｂは、コンテンツ編集部２４４をさらに有する点で第２実施形態とは異なる。コンテンツ編集部２４４は、録画再生装置１００Ｂから転送された複製コンテンツを編集する。
【００９３】
（コンテンツ処理システムの動作）
図９は、本変更例に係る動作シーケンス図である。ここでは、第２実施形態と異なる部分を説明する。
【００９４】
ステップＳ２１０ａにおいて、情報処理装置２００Ｂのコンテンツ編集部２４４は、録画再生装置１００Ｂから転送された複製コンテンツを編集する。
【００９５】
ステップＳ２１０ｂにおいて、情報処理装置２００Ｂのダビング処理部２４７は、光学ドライブ２６０を用いて、コンテンツ編集部２４４によって編集された複製コンテンツである編集コンテンツを光ディスク２６１にダビングする。
【００９６】
ステップＳ２１１において、情報処理装置２００Ｂの削除要求部２４８は、複製元のデジタル放送コンテンツの削除を要求するための削除要求を録画再生装置１００Ｂに送信する。
【００９７】
（第２実施形態の変更例の効果）
本変更例によれば、情報処理装置２００Ｂは、録画再生装置１００Ｂから転送された複製コンテンツを編集し、編集コンテンツを光ディスク２６１にダビングする。そして、情報処理装置２００Ｂは、複製元のデジタル放送コンテンツの削除を録画再生装置１００Ｂに要求する。録画再生装置１００Ｂは、削除の要求に応じて、複製元のデジタル放送コンテンツをコンテンツ蓄積部から削除する。これにより、第１実施形態で説明した効果、及び第２実施形態で説明した効果の両効果を得ることができる。
【００９８】
［第３実施形態］
次に、図１０〜図１２を用いて、第３実施形態に係る録画再生装置１００Ｃ及び情報処理装置２００Ｃを説明する。第３実施形態では、著作権保護を保証しつつ、録画再生装置１００Ｃが蓄積するデジタル放送コンテンツに対し、情報処理装置２００Ｃによる代理ダビングを実現する形態を説明する。
【００９９】
また、第３実施形態では、録画再生装置１００Ｃが蓄積するデジタル放送コンテンツが、ダビング１０のように、光ディスク２６１へのコピー回数が制限される著作権保護技術に対応したものであるとする。
【０１００】
なお、以下の第３実施形態においては、第１実施形態と異なる点を主として説明し、重複する説明を省略する。
【０１０１】
（録画再生装置の構成）
図１０は、第３実施形態に係る録画再生装置１００Ｃのブロック構成図である。図１０に示すように、録画再生装置１００Ｃは、第１実施形態で説明したコンテンツ更新部１３７に代えて、ダビング回数管理部１３９を有している。ダビング回数管理部１３９は、デジタル放送コンテンツのダビング回数を管理する。また、ダビング回数管理部１３９は、情報処理装置２００Ｃから通知されたダビング情報に応じて、複製元のデジタル放送コンテンツのダビング可能回数を減じる処理を行う。録画再生装置１００Ｃのその他の構成については、第１実施形態と同様である。
【０１０２】
（情報処理装置の構成）
図１１は、第３実施形態に係る情報処理装置２００Ｃのブロック構成図である。図１１に示すように、情報処理装置２００Ｃは、リムーバブル記憶媒体としての光ディスク２６１（例えば、ＤＶＤ又はブルーレイディスク（登録商標））に対する読み書きを行うための光学ドライブ２６０を有する。このように、情報処理装置２００Ｃは、録画再生装置１００Ｃには無いダビング機能を有する。
【０１０３】
また、情報処理装置２００Ｃの処理部２４０は、光学ドライブ２６０を用いて、録画再生装置１００Ｃから転送された複製コンテンツを光ディスク２６１にダビングするダビング処理部２４７と、録画再生装置１００Ｃから転送された複製コンテンツを光ディスク２６１にダビングした回数に関するダビング情報（ダビング通知）を録画再生装置１００Ｃに通知するダビング通知部２４９とを有する。ここでダビング情報（ダビング通知）は、例えばダビング回数の値である。第３実施形態では、処理部２４０は、第１実施形態で説明したコンテンツ編集部２４４を有していない。情報処理装置２００Ｃのその他の構成については、第１実施形態と同様である。
【０１０４】
（コンテンツ処理システムの動作）
図１２は、第３実施形態に係る録画再生装置１００Ｃ及び情報処理装置２００Ｃの動作シーケンス図である。
【０１０５】
ステップＳ３０１〜ステップＳ３０９の各処理は、第１実施形態と同様である。
【０１０６】
ステップＳ３１０において、情報処理装置２００Ｃのダビング処理部２４７は、光学ドライブ２６０を用いて、ローカル復号化された複製コンテンツを光ディスク２６１にダビングする。
【０１０７】
ステップＳ３１１において、情報処理装置２００Ｃのダビング通知部２４９は、複製コンテンツを光ディスク２６１にダビングした回数に関するダビング通知を録画再生装置１００Ｃに送信する。録画再生装置１００Ｃの通信インタフェース１４０は、ダビング通知を受信する。
【０１０８】
ステップＳ３１２において、録画再生装置１００Ｃのコンテンツ削除部１３８は、ダビング通知に対する応答であるダビング応答を情報処理装置２００Ｃに送信する。情報処理装置２００Ｃの通信インタフェース２５０は、ダビング応答を受信する。
【０１０９】
ステップＳ３１３において、情報処理装置２００Ｃの設定部２４６は、ＨＤＤ２７０に格納されている複製コンテンツの利用（すなわち、再生及び編集）を禁止するように設定する。あるいは、設定部２４６は、ＨＤＤ２７０に格納されている複製コンテンツを削除してもよい。
【０１１０】
ステップＳ３１４において、録画再生装置１００Ｃのダビング回数管理部１３９は、情報処理装置２００Ｃから受信したダビング通知に応じて、複製元のデジタル放送コンテンツのダビング可能回数を減じる処理を行う。
【０１１１】
ステップＳ３１５において、録画再生装置１００Ｃの設定部１３６は、複製元のデジタル放送コンテンツの利用を許可するように設定する。ただし、複製元のデジタル放送コンテンツのダビング可能回数が０回に達した場合には、設定部１３６は、複製元のデジタル放送コンテンツの利用を禁止したままにする、あるいは、複製元のデジタル放送コンテンツを削除する。
【０１１２】
（第３実施形態の効果）
以上説明したように、第３実施形態によれば、情報処理装置２００Ｃは、録画再生装置１００Ｃから転送された複製コンテンツを光ディスク２６１にダビングし、複製コンテンツを光ディスク２６１にダビングした回数に関するダビング情報を録画再生装置１００Ｃに通知する。録画再生装置１００Ｃは、通知されたダビング情報に応じて、複製元のデジタル放送コンテンツのダビング可能回数を減じる処理を行う。
【０１１３】
これにより、ダビング１０のように、光ディスク２６１へのコピー回数が制限されるデジタル放送コンテンツについて、その制約を守りながら代理ダビングを実現できる。また、代理ダビング中は、複製元のデジタル放送コンテンツの利用は禁止される。したがって、第３実施形態によれば、著作権保護を保証しつつ代理ダビングを実現できる。
【０１１４】
［第３実施形態の変更例］
次に、図１３及び図１４を用いて、第３実施形態の変更例を説明する。本変更例では、第１実施形態と第３実施形態とを組み合わせた形態を説明する。
【０１１５】
（情報処理装置の構成）
図１３は、本変更例に係る情報処理装置２００Ｃのブロック構成図である。図１３に示すように、情報処理装置２００Ｃは、コンテンツ編集部２４４をさらに有する点で第３実施形態とは異なる。コンテンツ編集部２４４は、録画再生装置１００Ｃから転送された複製コンテンツを編集する。
【０１１６】
（コンテンツ処理システムの動作）
図１４は、本変更例に係る動作シーケンス図である。ここでは、第２実施形態と異なる部分を説明する。
【０１１７】
ステップＳ３１０ａにおいて、情報処理装置２００Ｃのコンテンツ編集部２４４は、録画再生装置１００Ｃから転送された複製コンテンツを編集する。
【０１１８】
ステップＳ３１０ｂにおいて、情報処理装置２００Ｃのダビング処理部２４７は、光学ドライブ２６０を用いて、コンテンツ編集部２４４によって編集された複製コンテンツである編集コンテンツを光ディスク２６１にダビングする。
【０１１９】
ステップＳ３１１において、情報処理装置２００Ｃのダビング通知部２４９は、複製コンテンツを光ディスク２６１にダビングした回数に関するダビング通知を録画再生装置１００Ｃに送信する。
【０１２０】
（第３実施形態の変更例の効果）
本変更例によれば、情報処理装置２００Ｃは、録画再生装置１００Ｃから転送された複製コンテンツを編集し、編集コンテンツを光ディスク２６１にダビングする。そして、情報処理装置２００Ｃは、複製コンテンツを光ディスク２６１にダビングした回数に関するダビング情報を録画再生装置１００Ｃに通知する。録画再生装置１００Ｃは、通知されたダビング情報に応じて、複製元のデジタル放送コンテンツのダビング可能回数を減じる処理を行う。これにより、第１実施形態で説明した効果、及び第３実施形態で説明した効果の両効果を得ることができる。
【０１２１】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１２２】
例えば、上述した各実施形態では、情報処理装置２００がＰＣであると説明したが、ＰＣに限らず、ホームサーバ等であってもよい。
【０１２３】
また、上述した各実施形態では、録画再生装置１００が地上デジタル放送を受信すると説明したが、ＢＳデジタル放送等であってもよい。
【０１２４】
さらに、上述した各実施形態では、コンテンツ蓄積部の一例としてＨＤＤ１５０を説明したが、ＨＤＤに限らず、ＳＳＤ（Solid State Drive）等をコンテンツ蓄積部として使用してもよい。
【０１２５】
また、上述した各実施形態では、リムーバブル記憶媒体の一例として光ディスク２６１を説明したが、メモリカード等をリムーバブル記憶媒体として使用してもよい。
【０１２６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１２７】
１…コンテンツ処理システム、２…ＬＡＮ、３…ケーブル、１００，１００Ａ〜１００Ｃ…録画再生装置、１１０…チューナ、１２０…リモコン、１３０…処理部、１３１…コンテンツ録画・再生部、１３２…コンテンツ編集部、１３３…認証・鍵交換部、１３４…ローカル暗号化・復号化部、１３５…複製コンテンツ転送部、１３６…設定部、１３７…コンテンツ更新部、１３８…コンテンツ削除部、１３９…ダビング回数管理部、１４０…通信インタフェース、１５０…ＨＤＤ、１６０…メモリ、２００，２００Ａ〜２００Ｃ…情報処理装置、２１０…マウス、２２０…キーボード、２３０…ディスプレイ、２４０…処理部、２４１…認証・鍵交換部、２４２…コンテンツ取得部、２４３…ローカル暗号化・復号化部、２４４…コンテンツ編集部、２４５…編集コンテンツ転送部、２４６…設定部、２４７…ダビング処理部、２４８…削除要求部、２４９…ダビング通知部、２５０…通信インタフェース、２６０…光学ドライブ、２６１…光ディスク、２７０…ＨＤＤ、２８０…メモリ、３００…映像・音声出力装置
【図１】
2011223072.tif 000003
【図２】
2011223072.tif 000004
【図３】
2011223072.tif 000005
【図４】
2011223072.tif 000006
【図５】
2011223072.tif 000007
【図６】
2011223072.tif 000008
【図７】
2011223072.tif 000009
【図８】
2011223072.tif 000010
【図９】
2011223072.tif 000011
【図１０】
2011223072.tif 000012
【図１１】
2011223072.tif 000013
【図１２】
2011223072.tif 000014
【図１３】
2011223072.tif 000015
【図１４】
2011223072.tif 000016